(57)【特許請求の範囲】
【請求項１】
建物に固定される床枠組と、該床枠組の外縁部に立設される手摺部と、前記床枠組の上面に敷設されるデッキ材とを備え、前記デッキ材は出幅方向に隣接するデッキ材同士を連結する水受け可能な連結溝を有すると共に、デッキ材の出幅を切り詰めたときにその切断部に取付け可能な水受け材を有することを特徴とするバルコニー。
【発明の詳細な説明】
【０００１】
【発明の属する技術分野】
本発明は、バルコニーに係り、特にデッキ材の出幅を切り詰めた場合に発生する床下への雨漏れを防止し得るようにしたバルコニーに関する。
【０００２】
【従来の技術】
一般にバルコニーは、建物に固定される床枠組と、この床枠組の外縁部に立設される手摺部と、前記床枠組の上面に敷設されるデッキ材とから主に構成されている。前記デッキ材は、出幅方向に隣接するデッキ材同士を連結する連結溝を有しており、その連結溝で雨水を受けて側方へ排水可能とすることにより、床下への雨漏れを防いでいる。
【０００３】
【発明が解決しようとする課題】
ところで、前記バルコニーにおいては、現場の状況例えば敷地の状況等により出幅を切り詰める場合があり、その場合、デッキ材の切り詰めが発生する。
【０００４】
しかしながら、前記デッキ材の出幅が切り詰められると、連結溝が切除されるため、水を受けることもできなくなり、床下（バルコニーの下方）への雨漏れが発生する問題があった。
【０００５】
本発明は、前記事情を考慮してなされたもので、デッキ材の出幅を切り詰めた場合に発生する床下への雨漏れを防止することができるバルコニーを提供することを目的とする。
【０００６】
【課題を解決するための手段】
本発明のバルコニーは、建物に固定される床枠組と、該床枠組の外縁部に立設される手摺部と、前記床枠組の上面に敷設されるデッキ材とを備え、前記デッキ材は出幅方向に隣接するデッキ材同士を連結する水受け可能な連結溝を有すると共に、デッキ材の出幅を切り詰めたときにその切断部に取付け可能な水受け材を有することを特徴とする。
【０００７】
【発明の実施の形態】
以下に、本発明の実施の形態を添付図面に基いて詳述する。図１は本発明の実施の形態を示すバルコニーの斜視図、図２はバルコニーの床部の枠組構造を示す斜視図、図３はバルコニーの正面側から見た部分的断面図、図４はバルコニーの床材の取付構造を部分的に示す斜視図、図５は床材の横断面図、図６はバルコニーの側面側から見た要部断面図、図７は排水溝を有する床材の端部に装着されるごみ止めキャップを示す斜視図である。
【０００８】
これらの図に示すように、バルコニー１は、建物の外壁部（躯体）２に固定される床枠組３と、この床枠組３の外縁部に立設される手摺部４と、前記床枠組３の上面に敷設される床面材であるデッキ材５とを備えている。前記床枠組３は、建物の外壁部２に例えばボルト６により固定される根太掛け７と、この根太掛け７に両側の妻梁８および梁９を介して平行に取付けられる前桁１０と、これら根太掛け７と前桁１０との間に掛け渡される複数の根太１１とから主に構成されている。
【０００９】
前記外壁部２には、図６に示すように、根太掛け７の上側に位置させて根太掛けカバー１２が固定される。前記床枠組３を構成する根太掛け７等の部材は、金属製であり、例えばアルミニウム合金の押出形材からなっている。前記妻梁８および梁９は、中空に形成されており、建物の外壁部２に突設されたブラケット１３，１４を内部に通し、ブラケット１３，１４にボルトで固定されている。
【００１０】
前記手摺部４は、前記前桁１０の上部に立設された間柱１５と、前記妻梁８の基部側上部に立設された壁付け柱１６と、これら間柱１５および壁付け柱１６の上端部に横架された笠木１７と、この笠木１７の上部に設けられた手摺１８とを備えている。また、前記手摺部４の前面（正面）における前桁１０と笠木１７との間には前面材１９ａが、側面における妻梁８と笠木１７との間には側面材１９ｂがそれぞれ取付けられている。これら前面材１９ａおよび側面材１９ｂは、図示例では格子パネルからなっているが、これに限定されるものではない。
【００１１】
前記デッキ材５は、合成樹脂製であり、例えば塩化ビニルの押出成形品からなっている。デッキ材５は、図４ないし図５に示すように、床枠組の前側（前桁側）にその長手方向に沿って敷設されるスタータ用デッキ材５ａと、このスタータ用デッキ材５ａから躯体側にバルコニー１の出幅に応じて順次隣接して敷設される中間用デッキ材５ｂとから構成されている。
【００１２】
前記スタータ用デッキ材５ａの前側には、その長手方向に沿って雨水を排水するための溝幅の広い排水樋部２０が形成されている。また、スタータ用デッキ材５ａの躯体側縁部および中間用デッキ材５ｂの躯体側縁部には、隣接するデッキ材同士を連結するためおよび水受けとしての連結溝２１が長手方向に沿って形成されている。中間用デッキ材５ｂの前側縁部には、前記連結溝２１の上部を覆う覆い部２２が形成されている。
【００１３】
また、前記スタータ用デッキ材５ａおよび中間用デッキ材５ｂには、幅方向中間部に水受け用の中間溝２３が形成され、この中間溝２３には、カバー材２４が着脱自在に取付けられている。前記連結溝２１および前記中間溝２３は、前記排水樋部２０と同様に長手方向に沿って雨水を排水し得るように形成されている。
【００１４】
前記床枠組３における前記スタータ用デッキ材５ａおよび中間用デッキ材５ｂの長手方向両端部が位置する部分には、図３にも示すように、妻梁８の内側に沿って雨樋２５が設けられ、デッキ材５上に降り注いだ雨水が前記排水樋部２０、連結溝２１や中間溝２３に受けられ、これらから雨樋２５に排水されるようになっている。そして、前記雨樋２５からは、図示しない排水パイプを介して雨水が下方に排水されるようになっている。前記雨樋２５の上部には、雨樋カバー２６が着脱可能に取付けられており、この雨樋カバー２６を取外すことにより雨樋２５を容易に掃除でき、雨樋詰りおよび雨樋詰りによる漏水を抑制ないし防止することができるようになっている。
【００１５】
ところで、前記バルコニー１においては、例えば敷地の状況等により出幅を切り詰める場合があり、その場合、床枠組３等の切り詰めと共にデッキ材５の切り詰めが発生する。通常、デッキ材５の切り詰めは、最躯体側に位置する中間用デッキ材５ｂの躯体側不要部分２７を図５の切断線２８で示すように切断、除去することにより行われる。しかしながら、前記デッキ材５の切り詰めにより躯体側の連結溝２１が切除されるため、水を受けることができなくなり、床下への雨漏れが発生する問題がある。そこで、この問題を解決するために、前記バルコニー１は、図６に示すように、デッキ材５の出幅を切り詰めたときにその切断部２９に取付け可能な水受け材３０を有している。この水受け材３０は、バルコニー１の構成部材と共に梱包、出荷されることが好ましいが、バルコニー１の構成部材とは別に梱包、出荷、販売等されてもよい。
【００１６】
前記水受け材３０は、上部が開口した断面Ｕ字状ないし溝状の溝形材として形成されていると共に、前記デッキ材５と同じ長手方向の長さに形材からなっている。この水受材３０は、金属製例えばアルミニウム合金の押出形材からなることが好ましいが、合成樹脂製であってもよい。
【００１７】
また、前記切り詰めにより、デッキ材５の切断部２９には、躯体側に臨んで開口した断面Ｕ字状の係合溝（係合部）３１が形成され、この係合溝３１に前記水受け材３０の幅方向の一部が係合して取付けられることが好ましい。また、前記水受け材３０は、前記係合溝３１に接着手段例えば接着剤や両面テープ３２で接着固定されることが好ましい。なお、水受け材３０は、デッキ材５の切断部２９に固着具例えばネジで固着するようにしてもよい。前記水受け材３０は、根太掛けカバー１２内に収容され、根太掛けカバー１２によって覆われ、外部に露出しない方が、外観上（意匠上）好ましい。
【００１８】
一方、前記スタータ用デッキ材５ａの排水樋部２０の長手方向両端部には、排水樋部２０からごみが雨樋２５に入らないようにして雨樋詰りを抑制するためのごみ止めキャップ３３が装着されることが好ましい。このごみ止めキャップ３３は、図７の（ａ）ないし（ｂ）に示すように、スタータ用デッキ材５ａの排水樋部２０の下部に形成された中空部３４に嵌合する嵌合部３５と、排水樋部２０の端部を塞ぐ塞ぎ板部３６と、この塞ぎ板部３６に形成された複数の排水孔３７とを備えている。ごみ止めキャップ３３が脱落しないように、前記嵌合部３５には、接着剤を塗布することが好ましい。
【００１９】
次に、以上の構成からなるバルコニーの作用を述べる。敷地の状況等によりバルコニー１の出幅を切り詰める必要が生じた場合、床枠組３やデッキ材５の切り詰めが行われる。この切り詰めによりデッキ材５の連結溝２１が切除され、その部分で雨水を受けることができなくなるため、床下への雨漏れが発生する場合がある。そこで、デッキ材５の切り詰めを行った場合には、デッキ材５の切断部２９に水受け材３０を取付け、これにより床下への雨漏れを防止することができる。
【００２０】
このように本実施の形態のバルコニー１によれば、建物の外壁部２に固定される床枠組３と、この床枠組３の外縁部に立設される手摺部４と、前記床枠組３の上面に敷設されるデッキ材５とを備え、前記デッキ材５は出幅方向に隣接するデッキ材同士を連結する水受け可能な連結溝２１を有すると共に、デッキ材５の出幅を切り詰めたときにその切断部２９に取付け可能な水受け材３０を有するため、デッキ材５の出幅を切り詰めた場合に発生する床下への雨漏れを防止することができる。
【００２１】
デッキ材５を切り詰めたときに、その切断部２９に躯体側に臨んで開口した係合部３１が形成される構造とし、その係合溝３１に水受け材３０を係合により取付ける構造とすれば、水受け材３０の取付けが容易になり、施工性の向上が図れる。また、前記デッキ材５においては、前側に溝幅の広い排水樋部２０が形成されているため、雨水等の排水性の向上が図れる。しかも、排水樋部２０の長手方向両端部には、ごみ止めキャップ３３が取付けられているため、排水樋部２０から雨樋２５にごみが入らないようにすることができ、雨樋詰りを抑制ないし防止することができ、また、ごみ止めキャップ３３に溜まったごみを容易に除去することができる。
【００２２】
以上、本発明の実施の形態を図面により詳述してきたが、本発明は前記実施の形態に限定されるものではなく、本発明の要旨を逸脱しない範囲での種々の設計変更等が可能である。例えば、本発明のバルコニーは、柱なし型、柱付き型、屋根置き型の何れのタイプにも適用可能である。
【００２３】
【発明の効果】
以上要するに本発明のバルコニーによれば、建物に固定される床枠組と、該床枠組の外縁部に立設される手摺部と、前記床枠組の上面に敷設されるデッキ材とを備え、前記デッキ材は出幅方向に隣接するデッキ材同士を連結する水受け可能な連結溝を有すると共に、デッキ材の出幅を切り詰めたときにその切断部に取付け可能な水受け材を有するため、デッキ材の出幅を切り詰めた場合に発生する床下への雨漏れを防止することができる。
【図面の簡単な説明】
【図１】本発明の実施の形態を示すバルコニーの斜視図である。
【図２】バルコニーの床部の枠組構造を示す斜視図である。
【図３】バルコニーの正面側から見た部分的断面図である。
【図４】バルコニーの床材の取付構造を部分的に示す斜視図である。
【図５】床材の横断面図である。
【図６】バルコニーの側面側から見た要部断面図である。
【図７】排水溝を有する床材の端部に装着されるごみ止めキャップを示す斜視図である。
【符号の説明】
１  バルコニー
２  外壁部
３  床枠組
４  手摺部
５  デッキ材
２９  切断部
３０  水受け材
【図１】
0004497680.tif 000002
【図２】
0004497680.tif 000003
【図３】
0004497680.tif 000004
【図４】
0004497680.tif 000005
【図５】
0004497680.tif 000006
【図６】
0004497680.tif 000007
【図７】
0004497680.tif 000008